(57)【特許請求の範囲】
【請求項１】
表面に送信情報記入部として、数字を記入するための領域を定めた数字記入領域表示が印刷されたファクシミリ送信用紙において、
前記数字記入領域表示の数字１字毎の記入部が、縦長の矩形を表示した外形破線と、前記矩形を表示した外形破線の内側であって、上下に並べて形成された同一寸法からなる２つの矩形を表示した内形破線と、前記外形破線と前記内形破線との間隙領域であって、前記内形破線で表示した２つの矩形の各々の４隅外側周辺領域に設けたベタ印刷領域部とからなり、
前記２つの矩形の内側部分には、前記各々の矩形の対向する角部どうしを直線でそれぞれ結んだ対角線が表示され、
前記数字記入領域表示の表示が、前記ファクシミリ送信用紙をファクシミリで送信した際に黒く認識されドロップアウトしない色の印刷インクで表示されていることを特徴とするファクシミリ送信用紙。
【請求項２】
表面に送信情報記入部として、数字を記入するための領域を定めた数字記入領域表示が印刷されたファクシミリ送信用紙の前記送信情報記入部の少なくとも一部に、記入した数字の判読を困難にする迷彩パターンを、ファクシミリで送信した際に黒く認識されドロップアウトしない色の印刷インクで表示して設けたファクシミリ送信用紙を用いたファクシミリによる情報伝達方法であって、
送信情報を前記送信情報記入部に記入した後、ファクシミリ送信し、受信側において受信した情報表示の前記迷彩パターンに該当する領域部分を覆い隠すことができるフィルターを用いて覆い隠すことで、受信情報を読み取ることを特徴とするファクシミリによる情報伝達方法。
【発明の詳細な説明】
【０００１】
【発明の属する技術分野】
本発明は、記入情報をファクシミリで送信する際に使用するファクシミリ送信用紙であって、特に誤って本来の目的の送信先と異なる送信先にファクシミリ情報の送信を行ってしまった場合でも、送信内容の少なくとも１部の判読を困難にし、送信情報の秘密保持を図ったファクシミリ送信用紙及びファクシミリによる情報伝達方法に関する。
【０００２】
【従来の技術】
従来、ファクシミリを利用して商品を注文する際に、その商品の代金支払い方法としてクレジットカードサービスを用いて支払い処理を行う場合がある。
この場合には、商品の注文先に対してクレジットカード番号をファクシミリにより送信するが、送信時における電話番号の入力ミス等の誤操作で本来の送信先と異なる相手に対してクレジットカード番号を送信してしまい、この情報に基づいて場合によっては悪用されてしまう危険性もある。
また、クレジットカード番号に限らず、ファクシミリを利用して各種の情報の送信を行う際に、操作ミスや相手先の番号の入力ミス等により、常に本来の送信先と異なる相手に情報を送信する危険性があり、第三者に知られては困る秘密情報の場合には特に大きな問題となることがある。
【０００３】
これら誤送信による情報のセキュリティー確保や漏洩防止を図るために、ファクシミリ送信用紙に暗号化した状態で情報を表示して送信し、受信後に解読装置を用いて解読処理を施すことで送信情報の安全性を高める技術があるが、この場合には特殊な装置を用意しなければならず装置購入の費用も高く一般の使用者が容易に利用できるものではない。
【０００４】
【発明が解決しようとする課題】
本発明は、ファクシミリを利用して、たとえ間違えて本来の送信先と異なる相手に各種の情報を送信した場合でも、そのファクシミリ情報を受信側がその受信情報の少なくとも１部の判読を困難なようにすると共に、本来の送信先に送信された場合には、装置を使用することなく簡単に受信された情報を正確に解読できるようにし、ファクシミリを利用した際の送信情報の秘密保持と漏洩防止を図ることを可能にしたファクシミリ送信用紙及びファクシミリによる情報伝達方法を提供する。
【０００５】
【課題を解決するための手段】
上記の目的を達成するために、本発明の請求項１記載のファクシミリ送信用紙は、表面に送信情報記入部として、数字を記入するための領域を定めた数字記入領域表示が印刷されたファクシミリ送信用紙において、前記数字記入領域表示の数字１字毎の記入部が、縦長の矩形を表示した外形破線と、前記矩形を表示した外形破線の内側であって、上下に並べて形成された同一寸法からなる２つの矩形を表示した内形破線と、前記外形破線と前記内形破線との間隙領域であって、前記内形破線で表示した２つの矩形の各々の４隅外側周辺領域に設けたベタ印刷領域部とからなり、前記２つの矩形の内側部分には、前記各々の矩形の対向する角部どうしを直線でそれぞれ結んだ対角線が表示され、前記数字記入領域表示の表示が、前記ファクシミリ送信用紙をファクシミリで送信した際に黒く認識されドロップアウトしない色の印刷インクで表示されていることを特徴とするものである。
【０００９】
また、本発明の請求項２記載のファクシミリによる情報伝達方法は、表面に送信情報記入部として、数字を記入するための領域を定めた数字記入領域表示が印刷されたファクシミリ送信用紙の前記送信情報記入部の少なくとも一部に、記入した数字の判読を困難にする迷彩パターンを、ファクシミリで送信した際に黒く認識されドロップアウトしない色の印刷インクで表示して設けたファクシミリ送信用紙を用いたファクシミリによる情報伝達方法であって、送信情報を前記送信情報記入部に記入した後、ファクシミリ送信し、受信側において受信した情報表示の前記迷彩パターンに該当する領域部分を覆い隠すことができるフィルターを用いて覆い隠すことで、受信情報を読み取ることを特徴とするものである。
【００１０】
【発明の実施の形態】
以下、本発明のファクシミリ送信用紙の実施形態について、図面に基づき詳細に説明する。
図１は、本発明のファクシミリ送信用紙の第１実施形態の平面図、図２（ａ）は、第１実施形態の送信情報記入部の１字の記入部を示す図、図２（ｂ）は、第１実施形態の送信情報記入部の１字の記入部に数字の５を記入した状態を示す図、図３は、第１実施形態の送信情報記入部に連続数字を記入した状態を示す図、図４は、第１実施形態のファクシミリ送信用紙に使用する迷彩パターン目隠し用フィルターの平面図、図５は、図３の連続数字をファクシミリで受信した後、迷彩パターン目隠し用フィルターで迷彩パターンを目隠した状態を示す平面図、図６は、本発明の第２実施形態のファクシミリ送信用紙に文字を記入した状態を示す平面図、図７は、第２実施形態のファクシミリ送信用紙に使用する迷彩パターン目隠し用フィルターの平面図、図８は、図６の文字をファクシミリで受信した後、迷彩パターン目隠し用フィルターで迷彩パターンを目隠しした状態を示す平面図である。
【００１１】
本発明の第１実施形態のファクシミリ送信用紙１は、ファクシミリを利用して相手に送信したい情報を記入するための種々の送信情報記入部が設けられている。
これらの送信情報記入部は、それぞれのファクシミリ送信用紙の送信目的に合わせて種々の情報を記入するためもので、用紙の１箇所の所定領域に設ける場合や、数箇所の所定領域に分散させて設けるなど適宜選択して設ければよい。
図１においては、ファクシミリ送信用紙１を商品の注文票としたものであるため、送信情報記入部としては、例えば商品名記入部２、数量記入部３、注文者名記入部４、注文者住所記入部５、電話番号記入部６、代金支払い方法記入部７、クレジットカード番号記入部８等のそれぞれの記入部が予め印刷により表示されて設けられている。
【００１２】
そして、上記各々の送信情報記入部の内、仮にファクシミリの誤送信により誤って第三者にファクシミリ送信用紙１に記入した情報を送った場合、特に悪用されたら困る情報としてはクレジットカード番号が考えられる。
特にクレジットカード番号は、現金による支払いの代わりとしてクレジットサービスでの代金支払いを行う際の支払い者を特定するための番号であり、第三者に知られると悪用される危険性があり、本人に関係のない他人の代金を肩代わりさせられたりする等の恐れがあり、特に第三者に知られては困る秘密情報である。
したがって、本発明の第１実施形態では、たとえファクシミリの誤送信により間違えて第三者に送信してしまった場合でも、受信先においてクレジットカード番号記入部８に記入されたクレジットカード番号の読み取りを容易に行うことができないようにすることで、クレジットカード番号の秘密保持を確保することができるものである。
【００１３】
ファクシミリ送信用紙１のクレジットカード番号記入部８には、クレジットカード番号の１字毎の各数字を記入するための領域を定めた数字記入領域表示８ａがクレジットカード番号の桁数分だけ印刷されている。
この数字１字毎の数字記入領域表示８ａには、図２（ａ）に示すようにまず縦長の矩形で表示された外形破線９と、前記外形破線９の内側に形成された同一寸法からなる２つの矩形で表示された内形破線１０とが設けられている。この２つの矩形で表示された内形破線１０は、上下方向に並べて位置している。
また、外形破線９と内形破線１０との間隙領域であって、内形破線１０で表示した２つの矩形の各々の４隅外側周辺領域には、図２（ａ）に示すようにベタ印刷領域部１１，１２がそれぞれ設けられている。
【００１４】
そして、数字記入領域表示８ａにおける内形破線１０で表示した２つの矩形の内側部分であって、前記矩形の対向する角部どうしを直線でそれぞれ結んだ対角線１３が表示されている。
特に、上記の対角線１３の表示は、数字記入領域表示８ａに基づいて各種の数字を記入した際に、記入された数字の目視により読み取りを行う際に、簡単に読み取り判読することができないようにするためのカモフラージュとしての働きをするものである。
また、内形破線１０で表示した２つの矩形の内側部分には、その対角線１３に限らず複数本の線を平行または交差状に表示することで設けてもよい。
【００１５】
数字記入領域表示８ａにおける外形破線９と内形破線１０及びベタ印刷領域部１１，１２と、対角線１３の各表示は、ファクシミリで送信した際に黒く認識されドロップアウトしない色、例えば、黒、青、緑、赤等の明確に表示される色の印刷インクを用いて表示することが必要である。
また、数字記入領域表示８ａにおける外形破線９と内形破線１０及びベタ印刷領域部１１，１２と、対角線１３の各表示は、数字を記入する際に使用する筆記具の色と同色でないインクにより表示すると使用上便利である。
つまり、数字記入領域表示８ａを黒色のインクで表示し、記入の際に黒色のボールペンで記入すると、記入者自身が記入内容を再確認する際の読み取りができにくくなり、自分が正しく記入できたのかを確認しにくくなり不便であるため、黒色のボールペンで記入する場合には、赤色のインクを使用して数字記入領域表示８ａを示すようにすることが好ましい。
【００１６】
また、ファクシミリ送信用紙１のクレジットカード番号記入部８には、そこにクレジットカード番号を記入する旨の記載がされているが、この記載事項をドロップアウト用インクを使用して薄く印刷することにより、例え間違えて送信した場合でも、その記載事項が受信側で判読できないので、受信した第三者がクレジットカード番号記入部８の数字記入領域表示８ａが何を意味した表示であるのか理解できないため、機密保持上好ましい。
【００１７】
次に、この数字記入領域表示８ａに対して、例えば数字の５を記入する場合について、図２（ｂ）に基づいて説明する。
数字を記入する場合には、外形破線９と内形破線１０との間隙領域または内形破線１０どうしの間隙領域においてベタ印刷領域部１１，１２の間で出来るだけ直線に線引きを行うことが好ましい。
例えば、数字の５の場合には、外形破線９と内形破線１０との間隙領域または内形破線１０どうしの間隙領域による横方向の３つの横線間隙領域の全てに対して、横方向に３つの記入線１４ａ，１４ｂ，１４ｃを書き込み、また縦方向の間隙領域に対しては、左上部のベタ印刷領域部１１からその下方に設けたベタ印刷領域部１２までの間隙領域及び右下のベタ印刷領域部１１からその上方に設けたベタ印刷領域部１２までの間隙領域に縦方向にそれぞれの記入線１４ｄ，１４ｅを記入する。
【００１８】
これらの縦方向及び横方向の記入線１４ａ，１４ｂ，１４ｃ，１４ｄ，１４ｅにより、目視した場合に数字の５に最も近いイメージで示すことができる。
しかしながら、数字記入領域表示８ａには、内形破線１０で表示した２つの矩形の内側部分であって、前記矩形の対向する角部どうしを結んで表示した対角線１３が表示されているため、この対角線１３と各ベタ印刷領域部１１，１２との強いコントラストにより人間の目視による読み取りを阻害し、記入された数字の認識がわざとできないようにしてある。
また、この数字記入領域表示８ａに対しては、全ての数字をそれぞれが異なる状態で記入することが可能であり、図３には、１から順番に「１２３４５６７８９０」の１０文字の数字を記入した場合の記入例が示してあるが、縦と横方向の記入線を組み合わせることで全ての数字を示すことができるようにしてある。
【００１９】
したがって、クレジットカード番号記入部８に限らず、例えば電話番号記入部６にも数字記入領域表示８ａを必要な電話番号の数だけ印刷により表示することで、電話番号の情報についても誤送信による秘密保持を図ることができる。
このように、数字記入領域表示８ａを秘密にしたい種々の情報記入部に用いることで、様々な用途に使用するファクシミリ送信用紙１に適応できる。
【００２０】
次に、本発明のファクシミリによる情報伝達方法について説明する。
例えば、図１に示した注文表のファクシミリ送信用紙１の各送信情報記入部にそれぞれ必要事項を記入すると共に、クレジットカード番号記入部８にも例えば１０桁の「１２３４５６７８９０」の１０文字の数字を記入したとする。
そして、ファクシミリによりファクシミリ送信用紙１の記載情報を送信すると、受信側における受信情報は、図３に示したのとほぼ同じ状態で受信され、特にクレジットカード番号記入部８に記入された情報に対応した受信側の表示では、迷彩パターンの影響により表示内容を簡単に読み取ることが困難な状態で受信表示されることになる。
【００２１】
また、一方本来の受信者に対しては、図４に示すような透明基材を有するフィルター１５をあらかじめ準備しておく。
このフィルター１５には、図４に示すようにクレジットカード番号記入部８の内形破線１０でそれぞれ表示された２つの矩形領域と同じ領域部分に、白色のインクを塗布し透視することができないベタインク領域１６が設られてあり、このフィルター１５をクレジットカード番号記入部８の上に重ねることで、図５に示すように対角線１３が隠れて見えない状態にすることができるものである。
したがって、そのファクシミリの受信者が本来の受信者である場合には、ファクシミリ送信用紙１のクレジットカード番号記入部８の上にこのフィルター１５を重ねあわせることで、クレジットカード番号記入部８に記入された情報を目視により読み取ることがより簡単となる。
また、上記のフィルター１５の代わりに、受信した迷彩パターンの表示部分を覆い隠す機能を有する部材を用いることで、迷彩パターンの表示部分を覆い隠し記入情報を読み取るようにしてもよい。
【００２２】
また、フィルター１５を備えていない第三者にたとえ間違えて誤送信した場合には、フィルター１５がないので情報を簡単に読み取ることができず誤送信による情報の漏洩を防止することができる。
しかしながら、本発明のファクシミリ送信用紙で送信した情報は、必ずしもフィルター１５を用いなくてもよく、記入した縦横線の位置を詳細に確認することで送信した情報を読み取ることも可能であるが、各数字毎の記入位置の法則性を知らない第三者にとっては、通常記入されている情報を読み取ることが難しい。
【００２３】
次に、本発明の第２実施形態について、図６〜図８に基づいて説明する。
第２実施形態のファクシミリ送信用紙は、誤送信により情報が漏れては困る情報を記入する送信情報記入部１８に、矩形の記入枠１７と、前記記入枠１７内に表示した同一形状を有する交差しない複数本の曲線１９による迷彩パターンとが印刷されている。
同一形状を有する交差しない複数本の曲線１９は、多数の曲線とその曲線間とにより明暗のコントラストが生じるので、同一形状を有する交差しない複数本の曲線１９が表示された領域上に文字や数字等を記入した場合、記入事項２２の目視による読み取りができにくくなる効果がある。
したがって、第２実施形態では、第１実施形態のように数字に限定されず文字や数字または画像等など種々の記入方法を使用することができる。
【００２４】
次に、第２実施形態のファクシミリ送信用紙を用いてファクシミリによる情報伝達を行う方法について説明する。
図６には、送信情報記入部１８に例えばアルファベットの小文字と大文字により「ａｂＣＤ」を記入した状態が示されている。
ファクシミリにより送信し受信された状態は、図６に示したのとほぼ同じ状態で受信されるので、同一形状を有する交差しない複数本の曲線１９が記入文字を読みにくくするため、一見何が記入されているのか判読することができない。
そして、本来の受信者側には、図７に示すような透明基材を有するフィルター２０をあらかじめ準備しておき、ファクシミリ送信用紙１の送信情報記入部１８にこのフィルター２０を重ね合わせる。
【００２５】
フィルター２０には、図７に示すように同一形状を有する交差しない複数本の曲線１９の曲線に該当する領域に白色のインクを塗布し透視することができないベタインク領域２１を設けてあり、フィルター２０を送信情報記入部１８に重ね合わせることで、受信した同一形状を有する交差しない複数本の曲線１９における黒色で表示された曲線部分が白色となり、図８に示すようにフィルター２０を透視して見ることができる領域部分に「ａｂＣＤ」の部分的な記入表示を見ることができるので、簡単に受信した情報が「ａｂＣＤ」であることを認識することが可能となる。
また、フィルター２０を所持していない第三者に誤送信された場合には、送信情報が同一形状を有する交差しない複数本の曲線１９の迷彩パターンによりカモフラージュされているので簡単には受信情報を目視で読み取ることができない。
【００２６】
【発明の効果】
以上のように、本発明のファクシミリ送信用紙は、ファクシミリを利用して、たとえ間違えて本来の送信先と異なる相手に各種の情報を送信した場合でも、そのファクシミリ情報の受信側がその受信情報の少なくとも１部の判読をすることができないようにしてあるので、情報の漏洩防止の向上を図ることができる。
また、本発明のファクシミリによる情報伝達方法は、本来の受信者側に高価な装置を設けずに簡単に受信した情報の解読を可能とし、また誤送信した場合でも送信情報の少なくとも１部の判読を解読できないようにしてあるので、気軽に様々な用途のファクシミリに適応することができる。
【００２７】
【図面の簡単な説明】
【図１】本発明のファクシミリ送信用紙の第１実施形態の平面図である。
【図２】図２（ａ）は、第１実施形態の送信情報記入部の１字の記入部を示す図、図２（ｂ）は、第１実施形態の送信情報記入部の１字の記入部に数字の５を記入した状態を示す図である。
【図３】第１実施形態の送信情報記入部に連続数字を記入した状態を示す図である。
【図４】第１実施形態のファクシミリ送信用紙に使用する迷彩パターン目隠し用フィルターの平面図である。
【図５】図３の連続数字をファクシミリで受信した後、迷彩パターン目隠し用フィルターで迷彩パターンを目隠した状態を示す平面図である。
【図６】本発明の第２実施形態のファクシミリ送信用紙に文字を記入した状態を示す平面図である。
【図７】第２実施形態のファクシミリ送信用紙に使用する迷彩パターン目隠し用フィルターの平面図である。
【図８】図６の文字をファクシミリで受信した後、迷彩パターン目隠し用フィルターで迷彩パターンを目隠しした状態を示す平面図である。
【符号の説明】
１  ファクシミリ送信用紙
２  商品名記入部
３  数量記入部
４  注文者名記入部
５  注文者住所記入部
６  電話番号記入部
７  代金支払い方法記入部
８  クレジットカード番号記入部
８ａ  数字記入領域表示
９  外形破線
１０  内形破線
１１，１２  ベタ印刷領域部
１３  対角線
１４  記入線
１５，２０  フィルター
１６，２１  ベタインク領域
１７  記入枠
１８  送信情報記入部
１９  複数本の曲線
２２  記入事項
【図１】
0004170532.tif 000002
【図２】
0004170532.tif 000003
【図３】
0004170532.tif 000004
【図４】
0004170532.tif 000005
【図５】
0004170532.tif 000006
【図６】
0004170532.tif 000007
【図７】
0004170532.tif 000008
【図８】
0004170532.tif 000009